(57)【特許請求の範囲】
【請求項１】
画像処理を行う画像処理装置であって、
複数の操作画面を、予め定められた表示順序に従って順次切り替えて表示する表示手段と、
前記表示手段に表示される前記複数の操作画面の各々において、前記画像処理のための設定情報を入力する入力手段と、
ユーザより記録の指示があった場合に、前記入力手段より入力された前記設定情報を記憶する記憶手段と、
ユーザより設定開始の指示があった場合に、前記記憶手段に記憶された設定情報に基づいて前記画像処理のための設定情報の設定を開始し、前記表示手段に表示された操作画面に対応する設定情報が前記記憶手段に記憶されている場合には、当該設定情報を設定し、前記表示手段に表示された操作画面に対応する設定情報が前記記憶手段に記憶されていない場合には、当該操作画面において入力すべき設定情報の入力をユーザに対して促し、前記入力手段より設定情報が入力されると、該入力された設定情報を設定する設定制御手段と
を備えることを特徴とする画像処理装置。
【請求項２】
画像処理のための複数の機能を備え、該各機能に対してあらかじめ定められた１つ以上の詳細機能と、該詳細機能に対して設定された設定情報とを用いて画像処理を行う画像処理装置であって、
前記画像処理装置が備える前記各機能を表す情報と、該各機能に対してあらかじめ定められた１つ以上の詳細機能を表す情報と、該詳細機能に対応する設定情報とを含む登録情報を記憶する記憶手段と、
ユーザの指示に基づいて前記記憶手段から読み出した登録情報に、前記詳細機能に対応する設定情報が含まれていた場合には、該詳細機能に対して該設定情報を設定し、読み出した登録情報に、前記詳細機能に対応する設定情報が含まれていない場合には、ユーザに該詳細機能に対する設定情報の入力を促し、ユーザにより設定情報が入力されると、該入力された設定情報を該詳細機能に対して設定する制御手段と
を備えることを特徴とする画像処理装置。
【請求項３】
画像処理を行う画像処理装置における情報処理方法であって、
複数の操作画面を、予め定められた表示順序に従って順次切り替えて表示手段に表示する表示工程と、
前記表示手段に表示される前記複数の操作画面の各々において、入力手段を介して前記画像処理のための設定情報を入力する入力工程と、
ユーザより記録の指示があった場合に、前記入力手段より入力された前記設定情報を記憶手段に記憶する記憶工程と、
ユーザより設定開始の指示があった場合に、前記記憶手段に記憶された設定情報に基づいて前記画像処理のための設定情報の設定を開始し、前記表示手段に表示された操作画面に対応する設定情報が前記記憶手段に記憶されている場合には、当該設定情報を設定し、前記表示手段に表示された操作画面に対応する設定情報が前記記憶手段に記憶されていない場合には、当該操作画面において入力すべき設定情報の入力をユーザに対して促し、前記入力手段より設定情報が入力されると、該入力された設定情報を設定する設定制御工程と
を備えることを特徴とする情報処理方法。
【請求項４】
画像処理のための複数の機能を備え、該各機能に対してあらかじめ定められた１つ以上の詳細機能と、該詳細機能に対して設定された設定情報とを用いて画像処理を行う画像処理装置における情報処理方法であって、
前記画像処理装置が備える前記機能を表す情報と、該各機能に対してあらかじめ定められた１つ以上の詳細機能を表す情報と、該詳細機能に対応する設定情報とを含む登録情報を記憶手段に記憶する記憶工程と、
ユーザの指示に基づいて前記記憶手段から読み出した登録情報に、前記詳細機能に対応する設定情報が含まれていた場合には、該詳細機能に対して該設定情報を設定し、読み出した登録情報に、前記詳細機能に対応する設定情報が含まれていない場合には、ユーザに該詳細機能に対する設定情報の入力を促し、ユーザにより設定情報が入力されると、該入力された設定情報を該詳細機能に対して設定する制御工程と
を備えることを特徴とする情報処理方法。
【請求項５】
請求項３または４に記載の情報処理方法をコンピュータに実行させるためのプログラム。
【発明の詳細な説明】
【技術分野】
【０００１】
本発明は、画像処理のための複数の機能を備え、各機能ごとに設定された設定情報を用いて当該処理行う画像処理装置における処理技術に関するものである。
【背景技術】
【０００２】
近年、画像処理装置の高機能化に伴い、ユーザが行う設定値の入力操作も複雑化してきている。このため、設定値の入力操作を容易化するための様々な方法が提案されている。
【０００３】
例えば、下記特許文献１では、ユーザが予め入力した設定値をファイルとして記憶しておき、画像処理時に当該ファイルを呼び出す方法が提案されている。また、下記特許文献２では、所謂マクロ機能を用いて、設定値を入力する際にユーザが行った入力操作を記録しておき、画像処理時に当該入力操作を再生する方法が提案されている。
【特許文献１】特開平１−２９５２７４号公報
【特許文献２】特開２０００−３４１４４５号公報
【発明の開示】
【発明が解決しようとする課題】
【０００４】
しかしながら、上記背景技術に記載した方法では、例えば、入力すべき複数の設定項目のうち、一部分だけを変更して設定したい場合であっても、特許文献１にあっては別個のファイルとして記憶させるための操作が必要であり、また、特許文献２にあっては別個に入力操作を行い記録しておく必要があり、ユーザにとって利便性が悪い。そこで、このような場合でもユーザの入力操作が容易に行えるようにすることが望まれている。
【０００５】
また、上記背景技術に記載した方法の場合、特定の画像処理装置で記憶されたファイルを機能の異なる画像処理装置に適用したり、特定の画像処理装置で記録された入力操作を機能の異なる画像処理装置で再生したりすることができない。このため、機能の異なる画像処理装置においては、再度設定値の入力操作を行わなければならず、利便性に欠ける。
【０００６】
本発明は、上記課題に鑑みてなされたものであり、画像処理装置においてユーザが行う設定値の入力操作を容易にするとともに、利便性の向上を図ることを目的とする。
【課題を解決するための手段】
【０００７】
上記の目的を達成するために本発明に係る画像処理装置は以下のような構成を備える。即ち、
画像処理を行う画像処理装置であって、
複数の操作画面を、予め定められた表示順序に従って順次切り替えて表示する表示手段と、
前記表示手段に表示される前記複数の操作画面の各々において、前記画像処理のための設定情報を入力する入力手段と、
ユーザより記録の指示があった場合に、前記入力手段より入力された前記設定情報を記憶する記憶手段と、
ユーザより設定開始の指示があった場合に、前記記憶手段に記憶された設定情報に基づいて前記画像処理のための設定情報の設定を開始し、前記表示手段に表示された操作画面に対応する設定情報が前記記憶手段に記憶されている場合には、当該設定情報を設定し、前記表示手段に表示された操作画面に対応する設定情報が前記記憶手段に記憶されていない場合には、当該操作画面において入力すべき設定情報の入力をユーザに対して促し、前記入力手段より設定情報が入力されると、該入力された設定情報を設定する設定制御手段とを備える。
【発明の効果】
【０００８】
本発明によれば、画像処理装置においてユーザが行う設定値の入力操作が容易になるとともに、利便性が向上する。
【発明を実施するための最良の形態】
【０００９】
以下、必要に応じて添付図面を参照しながら本発明の実施形態を詳細に説明する。
【００１０】
［第１の実施形態］
１．ネットワーク構成
図１は、本発明の一実施形態に係る画像処理装置（１０１）を備えるネットワークの構成を模式的に示す図である。なお、本実施形態では、画像処理装置としてデータ送信機能を有する複写機を用いることとする。
【００１１】
図１において、１０１、１０２はデータ送信機能を有する複写機であり、ＬＡＮ１０６を介して、ファクシミリ１０３、データベース／メールサーバ１０４、クライアントコンピュータ１０５と通信可能に接続されている。また、複写機１０１は、公衆回線１０８を介してファクシミリ１０７と接続されている。
【００１２】
複写機１０１は、スキャナ機能、ファクシミリ機能を有するとともに、原稿画像を読み取り、該原稿画像を読み取ることにより生成された画像データをＬＡＮ１０６上の各装置（複写機１０２、ファクシミリ１０３、データベース／メールサーバ１０４、クライアントコンピュータ１０５）に送信するデータ送信機能を有する。
【００１３】
また、複写機１０１はＰＤＬ機能を有しており、ＬＡＮ１０６上に接続されているクライアントコンピュータ１０５から指示されたＰＤＬ画像を受信して印刷することが可能である。
【００１４】
さらに、複写機１０１はパーソナルボックス機能を有し、複写機１０１で読み取った画像や、ＬＡＮ１０６上に接続されているクライアントコンピュータ１０５から指示されたＰＤＬ画像を、ＨＤＤ（ハードディスク）２０４（図２）の指定したボックス領域に、スキャナジョブあるいはＰＤＬジョブとして保存したり、当該ボックス領域に保存されたスキャナジョブあるいはＰＤＬジョブを印刷することが可能である。同様に、複写機１０２が読み取ったデータをＬＡＮ１０６を介して受信し、当該受信したデータを複写機１０１内のハードディスク２０４に受信ジョブとして保存したり、印刷出力することが可能である。また、Ｗｅｂブラウザを介して公衆回線１０８より受信したコンテンツを、複写機１０１内にブラウザジョブとして保存したり、印刷出力することが可能である。
【００１５】
ファクシミリ１０３は、ＬＡＮ１０６を介して複写機１０１が読み取ったデータを受信し、該受信したデータを送信することが可能である。
【００１６】
データベース／メールサーバ１０４はサーバ装置であり、複写機１０１が読み取ったデータをＬＡＮ１０６を介して受信し、データベースに格納し、電子メールとして送信する機能を有する。
【００１７】
クライアントコンピュータ１０５は、データベース／メールサーバ１０４に接続され、データベース／メールサーバ１０４から所望のデータを取得して表示することが可能であるとともに、複写機１０１が読み取ったデータをＬＡＮ１０６を介して受信し、受信したデータを加工、編集することが可能である。
【００１８】
ファクシミリ１０７はファクシミリ機能を有し、公衆回線１０８を介して複写機１０１が読み取ったデータを受信し、受信したデータを印刷出力することが可能である。
【００１９】
２．主要構成ブロック図
図２は、本実施形態にかかる複写機１０１の主要部の構成を示す図である。同図において、２００はコントローラユニットであり、画像入力デバイスであるスキャナ２９１や画像出力デバイスであるプリンタ２９２と接続され、スキャナ２９１で読み取られた画像データをプリンタ２９２により印刷出力するコピー機能を実現するための制御を行うとともに、ＬＡＮ１０６や公衆回線（ＷＡＮ）１０８に接続することによって、画像データやＷｅｂコンテンツ、各種デバイス情報の入出力を行うための制御を行う。
【００２０】
コントローラユニット２００は、ＣＰＵ２０１を有し、ＣＰＵ２０１はＲＯＭ２０３に格納されているブートプログラムによりオペレーションシステム（ＯＳ）を立ち上げ、当該ＯＳ上でＨＤＤ（ハードディスクドライブ）２０４に格納されているアプリケーションプログラムを実行させることによって各種処理を実行する。ＣＰＵ２０１の作業領域としてはＲＡＭ２０２が用いられる。なお、ＲＡＭ２０２は、作業領域とともに、画像データを一時記憶するための画像メモリ領域を提供する。また、ＨＤＤ２０４は、上記アプリケーションプログラムとともに、画像データを格納する。
【００２１】
ＣＰＵ２０１は、ＲＯＭ２０３およびＲＡＭ２０２とともに、システムバス２０７を介して操作部Ｉ／Ｆ（操作部インタフェース）２０６、ネットワークＩ／Ｆ（ネットワークインタフェース）２１０、モデム２５０およびイメージバスＩ／Ｆ（イメージバスインタフェース）２０５に接続されている。
【００２２】
操作部Ｉ／Ｆ２０６は、タッチパネルを有する操作部２９３とのインターフェースであり、操作部２９３に表示する画像データを操作部２９３に対して出力する。また、操作部Ｉ／Ｆ２０６は、操作部２９３においてユーザにより入力された情報（設定情報等）をＣＰＵ２０１に送出する。
【００２３】
ネットワークＩ／Ｆ２１０は、ＬＡＮ１０６に接続され、ＬＡＮ１０６を介してＬＡＮ１０６上の各装置との間で情報の入出力を行う。また、モデム２５０は、公衆回線１０８に接続され、公衆回線１０８を介して情報の入出力を行う。
【００２４】
イメージバスＩ／Ｆ２０５は、画像データを高速で転送する画像バス２０８とシステムバス２０７とを接続し、データ構造を変換するためのバスブリッジである。画像バス２０８は、ＰＣＩバスまたはＩＥＥＥ１３９４から構成される。画像バス２０８上には、ラスタイメージプロセッサ（以下、ＲＩＰという）２６０、デバイスＩ／Ｆ２２０、スキャナ画像処理部２７０、プリンタ画像処理部２８０、画像回転部２３０および画像圧縮部２４０が設けられている。
【００２５】
ＲＩＰ２６０は、ＰＤＬコードをビットマップイメージに展開するプロセッサである。デバイスＩ／Ｆ２２０には、スキャナ部２９１およびプリンタ部２９２が接続され、デバイスＩ／Ｆ２２０は、画像データの同期系／非同期系の変換を行う。スキャナ画像処理部２７０は、スキャナ部２９１を介して入力された画像データに対し、補正、加工、編集を行う。プリンタ画像処理部２８０は、プリンタ部２０２を介してプリント出力される画像データに対して、補正・解像度変換などを行う。画像回転部２３０は、画像データの回転を行う。画像圧縮部２４０は、多値画像データをＪＰＥＧデータに、２値画像データをＪＢＩＧ、ＭＭＲ、ＭＨなどの圧縮データに変換するとともに、その伸張処理を行う。
【００２６】
３．ハードウェア構成
図３は図１の複写機１０１のスキャナ部２９１およびプリンタ部２９２のハードウェア構成を模式的に示す図である。
【００２７】
同図に示すように、スキャナ部２９１とプリンタ部２９２とは、一体的に構成されている。スキャナ部２９１は、原稿給紙ユニット３０１を搭載し、原稿給紙ユニット３０１は、原稿を先頭から順に１枚ずつプラテンガラス３０２上へ給送し、各原稿の読み取り動作が終了する毎にその原稿をプラテンガラス３０２から排出トレイ（図示せず）に排出する。
【００２８】
スキャナ部２９１は、原稿がプラテンガラス３０２上に給送されると、ランプ３０３を点灯し、移動ユニット３０４の移動を開始する。この移動ユニット３０４の移動によりプラテンガラス３０２上の原稿に対する読み取り走査が行われる。この読取走査中、原稿からの反射光は、各ミラー３０５、３０６、３０７およびレンズ３０８を経てＣＣＤイメージセンサ（以下、ＣＣＤという）３０９に導かれ、原稿上の画像がＣＣＤ３０９の撮像面上に結像される。ＣＣＤ３０９は、撮像面に結像された画像を電気信号に変換し、この電気信号は所定の処理を施された後にコントローラユニット２００（図３において不図示）に入力される。
【００２９】
プリンタ部２９２は、レーザドライバ３１１を有し、レーザドライバ３１１は、コントローラユニット２００から入力された画像データに基づきレーザ発光部３１２を駆動する。これにより、レーザ発光部３１２からは画像データに応じたレーザ光が発光され、このレーザ光は走査されながら感光ドラム３１３上に照射される。
【００３０】
感光ドラム３１３上には、照射されたレーザ光により静電潜像が形成され、この静電潜像は現像器３１４から供給されたトナーによりトナー像として可視像化される。レーザ光の照射タイミングに同期して、各カセット３２０、３２１から記録紙が搬送路を介して感光ドラム３１３と転写部３１５との間に給紙され、感光ドラム３１３上のトナー像は転写部３１５により給紙された記録紙上に転写される。
【００３１】
トナー像が転写された記録紙は搬送ベルトを介して定着ローラ対（加熱ローラと加圧ローラ）３１６に送られ、定着ローラ対３１６は、記録紙を熱圧し、記録紙上のトナー像を記録紙上に定着させる。この定着ローラ対３１６を通過した記録紙は、排紙ローラ対３１７により排紙ユニット３３０に排紙される。排紙ユニット３３０は、ソート、ステイプルなどの後処理を施すことが可能なシート処理装置からなる。また、両面記録モードが設定されている場合には、記録紙を排紙ローラ対３１７まで搬送した後に、排紙ローラ対３１７の回転方向を逆転させ、フラッパ３１８によって再給紙搬送路３１９へ導く。再給紙搬送路３１９に導かれた記録紙は、上述したタイミングで感光ドラム３１３と転写部３１５との間に再給紙され、この記録紙の裏面にトナー像が転写される。
【００３２】
４．操作部外観
次に、操作部２９３の外観構成を図４に示す。ＬＣＤ表示部４０１は、ＬＣＤ上にタッチパネルシートが貼られており、システムの操作画面を表示するとともに、表示してあるキーが押されるとその位置情報をコントローラユニット２００のＣＰＵ２０１に伝える。
【００３３】
スタートキー４０５はスキャナ部２９１を介して原稿画像の読み取り動作を開始する時などに用いる。スタートキー４０５中央部には、緑と赤の２色ＬＥＤ４０６があり、その色によってスタートキー４０５が使える状態にあるかどうかを示す。ストップキー４０４は稼働中の動作を止める働きをする。ＩＤキー４０３は、使用者のユーザＩＤを入力する時に用いる。リセットキー４０２は操作部２９３からの設定を初期化する時に用いる。
【００３４】
５．操作画面
図５は、操作部２９３のＬＣＤ表示部４０１上に表示される操作画面の一例を示す図である。
【００３５】
同図に示すように操作画面上部には、コピーキー５０１、送信／ファクスキー５０２、ボックスキー５０３、ウェブブラウザキー５０４のように複数の機能毎にタブ表示されたタッチキーが表示されている。
【００３６】
なお、図５はコピーキー５０１が押下されたときに表示されるコピー機能の初期画面を表している。同図に示すように、コピー機能の初期画面５０６には、上部にコピー機能が実行可能であることを示すステータスメッセージ（「コピーできます」）が表示され、その下部には、倍率、選択給紙段、置数が表示される。
【００３７】
また、コピー機能の動作モードを設定するためのタッチキーとして、等倍キー、倍率キー、用紙選択キー、ソータキー、両面キー、割込みキー、文字／写真／地図キー、濃度調整用として薄くするに対応する左矢印キー、濃くするに対応する右矢印キー、濃度を自動調整する自動キーが表示される。なお、初期画面に表示しきれない動作モードの指定は応用モードキーを押下することで階層的に画面内に設定画面が表示されるようになっている。
【００３８】
表示領域５０７は、複写機１０１のステータスを表示する領域であり、例えば、ジャムなどのアラームメッセージや、ＰＤＬプリントが行われているときにＰＤＬプリント中であることを示すステータスメッセージが表示される。
【００３９】
５０８はシステム状況／中止キーであり、当該キーを押下することで、複写機１０１のデバイス情報を表示する画面や、プリントジョブ状況を表示する画面（不図示）が表示され、当該画面を介してジョブの中止を行うことができる。
【００４０】
送信／ファクスキー５０２を押下すると、スキャナ部２９１を介して読み取った画像をＬＡＮ１０６上のデバイス（ファクシミリ１０３、データベース／メールサーバ１０４、クライアントコンピュータ１０５、複写機１０２）にＥ−ｍａｉｌ送信したり、ＦＴＰ送信したりするための設定画面（不図示）が表示される。また、当該設定画面によれば、読み取った画像を公衆回線１０８を使ってファクシミリ１０７に送信することもできる。
【００４１】
ボックスキー５０３を押下すると、複写機１０１上で読み取った画像をハードディスク２０４内のボックス領域に保存（登録）したり、ボックス領域に保存されている画像データを指定して印刷したり、ＬＡＮ１０６上のデバイスに送信したりするための設定画面が表示される（図示せず）。
【００４２】
なお、５つ以上の機能がコントローラユニット２００に装備されている場合は、コピー、送信／ファクス、ボックス、ウェブブラウザの４つの機能キーの右横に右矢印キー５０５が表示される。
【００４３】
５０９は「トレース開始」キーで、機能ごとに設定情報をメモリに登録する際に押下する。「トレース開始」キーは、機能ごとに設定情報を設定するための第１画面が表示されている際に押下が可能である。５１０は「再生」キーで、一時停止した設定情報の設定処理を再生する際に押下する。５１１は「一時停止」キーで、設定すべき設定情報が一意に決定しない際に押下する。５１２は「モードメモリ」キーで、詳細は後述する。
【００４４】
６．コピー機能の説明
次に複写機１０１が備える各種機能のうち、コピー機能の「両面」機能と、当該機能に付随する詳細機能ついて説明する。
【００４５】
６．１  両面機能について
「両面」機能とは、片面または両面原稿を、片面出力または両面出力する機能、または、冊子のような見開きの原稿を両面出力する機能である。「両面」機能として設定すべき設定情報としては、両面原稿の見開き（上下開き/左右開き）、両面出力の見開き（上下開き/左右開き）がある。以下に詳細を示す。
【００４６】
６．２  両面第１画面について
図５の初期画面５０６のキー群にある「両面」キー５１２を押下すると、図６に示す「両面第１画面」が表示される。
【００４７】
６０１から６０４の各キーは「両面種別」を選択するためのキーである。６０１は「片面から両面」を設定するためのキーで、片面原稿を両面コピー出力する際に押下する。６０２は「両面から両面」を設定するためのキーで、両面原稿を両面コピー出力する際に押下する。６０３は「両面から片面」を設定するためのキーで、両面原稿を片面出コピー力する際に押下する。６０４は「ページ連写両面」を設定するためのキーで、冊子のような見開きの原稿を両面コピー出力する際に押下する。６０５は「設定取消」キーで、両面の設定を取り消しする際に押下する。６０６は「次へ」キーで両面設定の次の設定を行なう際に押下する。
【００４８】
６．３  両面第２画面について
図６に示す「両面第１画面」にて「両面から両面」キー６０２を押下し、「次へ」キー６０６を押下すると、図７に示す「両面第２画面」が表示される。この画面では、両面原稿の見開きを設定する。７０１は「左右開き」キーで、両面原稿が左右に配置されている際に選択する。７０２は「上下開き」キーで、両面原稿が上下に配置されている際に選択する。
【００４９】
６．４  両面第３画面について
図７に示す「両面第２画面」にて「次へ」キー７０３を押下すると、図８に示す「両面第３画面」が表示される。この画面では、両面出力の見開きを設定する。８０１は「左右開き」キーで、両面出力を左右に配置したい際に選択する。８０２は「上下開き」キーで、両面出力を上下に配置したい際に選択する。両面の設定を確定する場合は「ＯＫ」キー８０３を押下する。
【００５０】
７．登録処理の説明
次に、本実施形態にかかる複写機１０１の特徴的な機能である、設定情報の登録／再生処理について説明する。なお、ここでは、登録処理として、上述の「両面から両面」キー６０２を押下した場合において、両面原稿の見開き設定（図７における設定）は一定ではないが、両面出力設定（図８における設定）は「左右開き」に固定したい場合を例として説明する。
【００５１】
７．１  登録処理
まず、図６に示す「両面第１画面」を開いた際に、「トレース開始」キー５０９を押下する。この際、「トレース開始」キー５０９は網掛けに変わり、「一時停止」キー５１１が押下可能になる。
【００５２】
この状態で「両面から両面」キー６０２を選択し、「次へ」キー６０６を押下する際に、「トレース開始」キー５０９の状態をみて、押下されていると判断された場合には、その画面内にある設定内容を一時的に確定する。
【００５３】
「次へ」キー６０６が押下されると、図７に示す「両面第２画面」が表示される。このとき、「一時停止」キー５１１を押下したうえで、「次へ」キー７０３を押下する。すると、「次へ」キー７０３を押下する時点で「トレース開始」キー５０９が押下されていないと判断され、その画面内にある設定内容は確定されることなく次へ進む。
【００５４】
次に、図８に示す「両面第３画面」が表示されるが、その際には「一時停止」キー５１１は再び押下可能になる（「トレース開始」キー５０９が押圧された状態になる）。ここで、「左右開き」キー８０１を押下し「ＯＫ」キー８０３を押下することで、当該画面内にある設定内容が一時的に確定するとともに、「両面」機能の設定情報が登録される。同様にして、他の機能も複合し登録することが可能である。
【００５５】
全ての設定が完了したら、コピー機能内にある「モードメモリ」キー５１２を押下する。「モードメモリ」キー５１２が押下されると、図９に示す「登録第１画面」が表示される。９０１に示すキー群は「メモリ」キーになっており、設定情報の登録を９つまで行なうことができる。９０２は「登録」キーで、「メモリ」キー群９０１で選択したキーに対し、登録した設定情報を割り当てる際に押下する。９０３は「名称登録」キーであり、選択した「メモリ」キーに任意の名称を登録する際に押下する。
【００５６】
上記両面設定と他の機能を合わせて登録する場合について説明を行なう。まず、Ｍ１キーを選択し、「登録」キー９０２を押下すると、図１０に示す「登録第２画面」が表示される。
【００５７】
図１０の「登録第２画面」では、現在行なった設定の確認を行なう。１００１は先に設定した原稿向きの一時停止の個所を表している。この設定でよければ「はい」キー１００２を、解除する場合は「いいえ」キー１００３を押下する。
【００５８】
「はい」キー１００２を押下すると、複写機１０１にて図１１に示す内容（ユーザ登録内容１）が登録される。ユーザ登録内容１（１１００）は機能登録欄１１０１と、機能登録欄１１０１に登録された「機能」が有する「詳細機能」を記載した詳細機能登録欄１１０２と、詳細機能ごとに行ったユーザの「設定情報」を記録する設定登録欄１１０３と、詳細機能別でユーザが行った「停止情報」を記録する停止登録欄１１０４とで構成される。
【００５９】
７．２  登録された内容の再生処理
次に、登録された内容の再生処理について説明する。コピー機能内にある「モードメモリ」キー５１２を押下すると、モードメモリ画面が開く（図１２参照）。図１２に示す「モードメモリ画面」にてメモリキー群９０１より任意のキー（ここではＭ１キー）を押下すると図１２に示す状態となる。「ＯＫ」キー１２０１を押下すると、再生が始まる。
【００６０】
複写機１０１内部には機能ごとに、図１３に示す内容（複写機登録内容１）が登録されている。複写機登録内容１（１３００）は機能登録欄１３０１と、機能登録欄１３０１に登録された「機能」が有する「詳細機能」を記載した詳細機能登録欄１３０２と、詳細機能の設定を行なう「画面名」（画面識別情報）を記載した画面登録欄１３０３と、表示順序を表す情報として「前画面名」（前画面識別情報）を記載した前画面登録欄１３０４とで構成される。
【００６１】
再生処理は、図１１に示すユーザ登録内容１（１１００）と図１３に示す複写機登録内容１（１３００）とに基づいて行なう。まず、ユーザ登録内容１（１１００）に登録されている「両面」の情報を洗い出し、複写機登録内容１（１３００）の両面設定の画面順序に従って設定を埋めていく。
【００６２】
具体的には、まず、図６の「両面第１画面」が開き、ユーザ登録内容１（１１００）に登録されている「両面から両面」の設定情報を設定する。次に図７の「両面第２画面」が開かれるが、ユーザ登録内容１（１１００）には、設定情報がなく停止の指定があるため、ここで表示を停止する（図１４の「呼び出し第２画面」参照）。
【００６３】
図１４に示す呼び出し第２画面にて、ユーザは「左右開き」キー７０１または「上下開き」キー７０２のいずれかのキーを選択し、「再生」キー５１０を押下すると、図８の「両面第３画面」が表示され、ユーザ登録内容１（１１００）に登録されている出力向きとして「左右開き」を設定する。複写機登録内容１（１３００）の表示順序に関する情報から図８の「両面第３画面」が最終画面であることがわかる。最終画面に到達した際には、開いている画面（両面第１画面〜両面第３画面）を閉じる。
【００６４】
図１４の「呼び出し第２画面」において、設定取消キー１４０１を押下すると登録された内容の呼び出しを中止することができる。また、戻るキー１４０２を押下すると図６の「両面第１画面」が開き、両面種別を変更することができる。ただし現在登録されているものと異なる種別を選択した場合は、「再生」キー５１０は網掛けになり押下できなくなる。「次へ」キー７０３を押下すると図８の「両面第３画面」が開き両面コピーの種類を選択することが可能になる。
【００６５】
７．３  再生処理の流れについて
次に再生処理の流れについて、図１５のフローチャートを用いて説明する。ステップＳ１５０１では、ユーザ登録内容１（１１００）の機能登録欄１１０１から設定情報の再生処理を行なう「機能」を取得する。
【００６６】
ステップＳ１５０２では、複写機１０１の複写機登録内容１（１３００）の画面登録欄１３０３および詳細機能登録欄１３０２から、ステップＳ１５０１で取得した「機能」に該当する最初の「画面情報」と当該画面に対応する「詳細機能」とを取得する。
【００６７】
ステップＳ１５０３では、ステップＳ１５０２にて取得した「画面情報」に基づいて画面をオープンさせる。次にステップＳ１５０４では、ステップＳ１５０２（またはステップＳ１５１１）にて取得した「詳細機能」に該当する「設定情報」および「停止情報」をユーザ登録内容１（１１００）の設定登録欄１１０３および停止登録欄１１０４から取得する。
【００６８】
ステップＳ１５０４において、該当する「設定情報」が存在しない場合、または停止情報が存在する場合には、ステップＳ１５０３で表示させている画面のまま停止する（ステップＳ１５０５→Ｓ１５０６）。
【００６９】
一方、ステップＳ１５０４において該当する「設定情報」が存在する場合は、ステップＳ１５０３で表示させている画面に対して、設定登録欄１１０３に記載されている「設定情報」を設定する（ステップＳ１５０５→Ｓ１５０７）。
【００７０】
次に複写機登録内容１（１３００）の前画面登録欄１３０４に基づいて、現在の画面が最終画面であるのか否か判断する。最終画面である場合はＯＫキー処理を実行する（ステップＳ１５０８→Ｓ１５０９）。
【００７１】
一方、最終画面でない場合は、「次へ」キー押下処理を実行し、画面登録欄１３０３より次の「画面情報」を取得する（ステップＳ１５１２）。
【００７２】
ステップＳ１５１３では、ステップＳ１５１２にて取得した「画面情報」に該当する「詳細機能」を複写機登録内容１（１３００）の詳細機能登録欄１３０２から取得し、ステップＳ１５１４では、当該「画面情報」に基づいて画面をオープンする。新しくオープンした画面に対し、ステップＳ１５０４からのフローを実行する。
【００７３】
７．４  ステップＳ１５０６（現在表示中の画面で停止）の処理について
再生を行なうための設定情報がないため、ユーザからの入力を待つ。入力があった場合は、ＯＫ／次へ／再生キーのいずれの入力かの判断を行なう（ステップＳ１５１５）。「再生」キーの場合は、現在の画面が最終画面が否かを判断し、自動実行を行ない次画面から必要な設定情報を取得する。
【００７４】
「次へ」キーの場合は、「次へ」キー押下処理を実行し（ステップＳ１５１２）、「ＯＫ」キーの場合はＯＫキー押下処理を実行する（ステップＳ１５０９）。
【００７５】
７．５  ステップＳ１５０８（現在の画面が最終画面）の処理について
「ＯＫ」キー押下処理を自動実行し、次に再生する「機能」がユーザ登録内容１（１１００）に存在するかどうかの判定を行なう（ステップＳ１５１０）。存在する場合は、機能登録欄１１０１より「機能」を取得し、ステップＳ１５０２からのフローを実行する(ステップＳ１５１１)。
【００７６】
次に再生する「機能」が存在しない場合は、再生処理を終了し、ユーザからのスタートコマンド入力を待つ。
【００７７】
以上の説明から明らかなように、本実施形態によれば、ユーザによる設定情報の入力操作の記録を任意の場所で停止することが可能となる。この結果、入力すべき複数の設定項目のうち、一部分だけを変更して設定したい場合には、記録時に当該部分において記録停止操作を行うことにより、再生時には、当該部分だけユーザが任意に設定入力できるようになるため、ユーザにとって利便性が向上する。
【００７８】
［第２の実施形態］
上記第１の実施形態では、所定の画面における設定内容の如何に関わらず、次に表示される画面が決まっている場合について説明したが、本発明はこれに限られず、設定内容によって、移行先の画面が変わるよう画面表示制御が行われている場合においても適用可能である。
【００７９】
具体的には、上記第１の実施形態では、再生処理時に所定の機能について停止情報が記録されていると判断された場合に、ユーザに設定情報の入力を促し、設定情報が入力されると、該入力された設定情報を設定するよう制御する構成としたが、本実施形態では、再生処理時に所定の機能について設定情報が記録されていないと判断された場合に（設定登録欄がＮＵＬＬ情報であったと判断された場合）、ユーザに設定情報の入力を促すよう構成する。これにより、設定内容によって、画面の移行先が変わる場合であっても、すべての移行先について登録処理を行なう必要がなくなり、利便性が向上する。図１６を用いて説明する。
【００８０】
図１６は、複写機１０１の備える各種機能と該機能ごとに設定情報を設定するための画面とを抽象的に示し、各画面の設定内容に基づいて異なる画面に分岐して移行する様子を示した図である。
【００８１】
画面１は機能Ａの設定を行なう画面であることを表している。画面１において、「次へ」キーを押下すると、機能Ｂの設定を行なう画面２が開くことを表している。同様に画面２で「次へ」キーを押下すると、機能Ｂの設定内容により、画面３または画面４が開くことを表している。
【００８２】
登録処理を行う際に、ユーザが画面２／機能Ｂにて「一時停止」キーをかけるとともに、その後の設定情報の登録を画面３／機能Ｃにて行なったとする。さらに、再生処理を行なう際に、ユーザが画面２／機能Ｂにて画面４／機能Ｄに移行するような設定情報を入力したとする。
【００８３】
この場合、画面４／機能Ｄについては設定情報が記録されていないため、一時停止がかかり、ユーザに機能Ｄについての設定情報の入力が促される。
【００８４】
［第３の実施形態］
上記第１、２の実施形態では、複写機１０１本体にユーザ登録内容を格納する場合について説明したが、本発明は特にこれに限られるものではなく、例えば、クライアントコンピュータ１０５で当該ユーザ登録内容を保持したり、不図示のＩＤカードにて当該ユーザ登録内容を保管するようにしてもよい。これにより、特定の複写機でのユーザ登録内容を他の複写機にも適用することが可能となる。
【００８５】
さらに、上記第２の実施形態と同様に、再生処理時に所定の機能について設定情報が記録されていないと判断された場合に（設定登録欄がＮＵＬＬ情報であったと判断された場合）、ユーザに設定情報の入力を促す構成とすることにより、特定の複写機が有する機能と他の複写機が有する機能とに差があった場合でも、特定の複写機でのユーザ登録内容を他の複写機にも適用することができる。
【００８６】
以下に、クライアントコンピュータ１０５で保持した設定情報に基づいて、あるいはＩＤカードにて保管された設定情報に基づいて、異なる複写機１０２にて再生処理を行なう場合であって、複写機１０２側の詳細機能の方が複写機１０１の詳細機能よりも多い場合について説明する。
【００８７】
クライアントコンピュータ１０５あるいはＩＤカード内に保持されている登録内容を図１７のユーザ登録内容２（１７００）とし、複写機１０２内に保持されている登録内容を図１８の複写機登録内容２（１８００）とする。
【００８８】
ここで、機能Ａは機能分類の大項目を指す。ユーザ登録内容２（１７００）には詳細機能Ａ−１／Ａ−２／Ａ−４に関する設定情報と、Ａ−２の詳細機能の設定において一時停止が指定されている。
【００８９】
複写機登録内容２（１８００）には詳細機能Ａ−１／Ａ−２／Ａ−３／Ａ−４および詳細設定を行なう画面およびその画面の前画面の情報が保持されている。
【００９０】
かかる構成のもと、ユーザ登録内容２（１７００）を用いて、複写機登録内容２（１８００）が保持されている複写機１０２において再生処理を行なった場合、ユーザが停止を行ないたいＡ−２の詳細機能→Ａ第２画面だけでなく、ユーザ登録内容２（１７００）に含まれていないＡ−３の詳細機能→Ａ第３画面においても画面を一時停止させる。ここで、ユーザがＡ−３の詳細機能を入力すると、再び再生処理が開始し、次のＡ第４画面に進み、Ａ−４の詳細機能が設定される。なお、Ａ第３画面においてユーザが入力した設定情報は、ユーザ登録内容２（１７００）に登録されるものとする。
【００９１】
以上の説明から明らかなように、本実施形態によれば、複写機の他、外部デバイス、ＩＤカードなどに設定情報を保持し、これを用いて再生処理を行なうことができる。また、複写機間で使用できる機能に差がある場合であっても、あらかじめ登録している設定情報の設定を行なうことができる（所定の複写機１０１で記録された設定情報を機能の異なる複写機１０２で再生することが可能となる）。この結果、従来の複写機と比べて利便性が向上する。
【００９２】
［他の実施形態］
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００９３】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００９４】
この場合、記憶媒体から読出されたプログラムコード自体が前述した実施形態の機能を実現することになり、そのプログラムコードを記憶した記憶媒体は本発明を構成することになる。
【００９５】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００９６】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００９７】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００９８】
【図１】本発明の一実施形態に係る画像処理装置（複写機）を備えるネットワークの構成を模式的に示す図である。
【図２】複写機の主要部の構成を示す図である。
【図３】複写機のスキャナ部およびプリンタ部のハードウェア構成を模式的に示す図である。
【図４】複写機の操作部の外観構成を示す図である。
【図５】複写機の操作部のＬＣＤ表示部上に表示される操作画面（標準画面）の一例を示す図である。
【図６】両面第１画面の一例を示す図である。
【図７】両面第２画面の一例を示す図である。
【図８】両面第３画面の一例を示す図である。
【図９】登録第１画面の一例を示す図である。
【図１０】登録第２画面の一例を示す図である。
【図１１】ユーザ登録内容の構成を示す図である。
【図１２】呼び出し第１画面の一例を示す図である。
【図１３】複写機登録内容の構成を示す図である。
【図１４】呼び出し第２画面の一例を示す図である。
【図１５】複写機における再生処理の流れを示すフローチャートである。
【図１６】複写機の備える各種機能と該機能ごとに設定情報を設定するための画面とを抽象的に示し、各画面の操作内容に基づいて異なる画面に分岐して移行する様子を示した図である。
【図１７】ユーザ登録内容の構成を示す図である。
【図１８】複写機登録内容の構成を示す図である。
【符号の説明】
【００９９】
２００：コントローラユニット
２０１：ＣＰＵ
２０２：ＲＡＭ
２０３：ＲＯＭ
２０４：ハードディスク
２０５：イメージバスＩ／Ｆ
２０６：操作部Ｉ／Ｆ
２０７：システムバス
２０８：画像バス
２１０：ネットワークＩ／Ｆ
２２０：デバイスＩ／Ｆ
２３０：画像回転部
２４０：画像圧縮部
２５０：モデム
２６０：ＲＩＰ
２７０：スキャナ画像処理部
２８０：プリンタ画像処理部
２９１：スキャナ部
２９２：プリンタ部
２９３：操作部
【図１】
0004510652.tif 000002
【図２】
0004510652.tif 000003
【図３】
0004510652.tif 000004
【図４】
0004510652.tif 000005
【図５】
0004510652.tif 000006
【図６】
0004510652.tif 000007
【図７】
0004510652.tif 000008
【図８】
0004510652.tif 000009
【図９】
0004510652.tif 000010
【図１０】
0004510652.tif 000011
【図１１】
0004510652.tif 000012
【図１２】
0004510652.tif 000013
【図１３】
0004510652.tif 000014
【図１４】
0004510652.tif 000015
【図１５】
0004510652.tif 000016
【図１６】
0004510652.tif 000017
【図１７】
0004510652.tif 000018
【図１８】
0004510652.tif 000019